(57)【要約】【課題】  光学ヘッド装置の製造工程における回折格子のハウジングへの組み込み作業において製造コストを抑え、回折格子の組み込み作業や固定状態の解除作業を簡易なものとし、また回折格子の回折方向の調整時の回折方向調整部材による回折格子自体の変位を抑える。【解決手段】  入射光を回折する回折格子を保持するとともにハウジングと係止する回折格子保持具であって、入射光の光軸と交差する方向における回折格子の周囲を弾性保持し、ハウジングに対する回折格子の係止位置においてハウジングと係止する一対の弾性保持板と、入射光が回折格子に入光するための光路孔を有し、一対の弾性保持板の間を支持するとともに、ハウジングに対する回折格子の係止位置において、回折格子を入射光の入光側から弾性で押圧する弾性支持板とを備えたことを特徴とする回折格子保持具。【選択図】    図１
2005243107.tif 000002
【特許請求の範囲】
【請求項１】
入射光を回折する回折格子を保持するとともにハウジングと係止する回折格子保持具であって、
前記入射光の光軸と交差する方向における前記回折格子の周囲を弾性保持し、前記ハウジングに対する前記回折格子の係止位置において前記ハウジングと係止する一対の弾性保持板と、
前記入射光が前記回折格子に入光するための光路孔を有し、前記一対の弾性保持板の間を支持するとともに、前記ハウジングに対する前記回折格子の係止位置において、前記回折格子を前記入射光の入光側から弾性で押圧する弾性支持板と、
を備えたことを特徴とする回折格子保持具。
【請求項２】
前記一対の弾性保持板のうち一方の弾性保持板は、前記ハウジングとの係止位置において、前記回折格子の回折方向を調整するための回折方向調整部材が前記ハウジングの貫通孔を介して挿入されるための調整孔、
を有することを特徴とする請求項１に記載の回折格子保持具。
【請求項３】
半導体レーザーと、前記半導体レーザーから出射されるレーザービームを回折する回折格子と、前記半導体レーザーおよび前記回折格子が組み込まれるハウジングと、前記回折格子を保持するとともに前記ハウジングと係止する回折格子保持具と、を有する光学ヘッド装置であって、
前記回折格子保持具は、
前記半導体レーザーから出射されるレーザービームの光軸と交差する方向における前記回折格子の周囲を弾性保持し、前記ハウジングに対する前記回折格子の係止位置において前記ハウジングと係止する一対の弾性保持板と、
前記半導体レーザーから出射されるレーザービームが前記回折格子に入光するための光路孔を有し、前記一対の弾性保持板の間を支持するとともに、前記ハウジングに対する前記回折格子の係止位置において、前記回折格子を前記半導体レーザーから出射されるレーザービームの入光側から弾性で押圧する弾性支持板と、を有し、
前記ハウジングは、
前記ハウジングに対する前記一対の弾性保持板の係止位置において、前記一対の弾性保持部板を係止する係止部材を有する、
ことを特徴とする光学ヘッド装置。
【請求項４】
前記ハウジングは、前記回折格子の回折方向を調整するための回折方向調整部材が挿入される貫通孔を有し、
前記一対の弾性保持板のうち一方の弾性保持板は、前記ハウジングとの係止位置において、前記回折方向調整部材が前記ハウジングの前記貫通孔を介して挿入される調整孔を有する、
ことを特徴とする請求項３に記載の光学ヘッド装置。
【発明の詳細な説明】
【技術分野】
【０００１】
本発明は、光学ヘッド装置に関する。
【背景技術】
【０００２】
光学ヘッド装置は、例えば信号記録媒体等に対して光学的に信号の読み取りまたは書き込みを行うものである。この光学ヘッド装置に設けられているハウジングには半導体レーザー及び回折格子が組み込まれている。ところで光学ヘッド装置が信号記録媒体等に対して光学的に信号の読み取りまたは書き込みを行うためには、半導体レーザーから出射されるレーザービームの光軸や信号記録媒体等への焦点位置がずれないように正確に位置決めされなくてはならない。そこで半導体レーザーから出射されるレーザービームを回折格子により回折して回折ビームを形成し、０次光ビーム及び±１次光回折ビームを使用し、３ビーム法や差動プッシュプル法によるトラッキング制御に対応する光学ヘッド装置が主流となっている。
【０００３】
図８は光学ヘッド装置の製造工程における半導体レーザー及び回折格子のハウジングへの組み込みを示す分解斜視図である。  
ハウジング１０は、半導体レーザー１５から出射されるレーザービームの光路を形成する円筒状の孔１９が形成されている。回折格子５は、半導体レーザー１５から出射されるレーザービームを回折し、回折ビームを形成する。この円筒状の孔１９には回折格子５が組み込まれるとともに、バネ部材２０を介してレーザーホルダー１８が組み込まれる。レーザーホルダー１８は、中空孔が設けられており、半導体レーザー１５を当該中空孔に組み込むことにより、保持する。そして、半導体レーザー１５及びレーザーホルダー１８は押圧板２１により、半導体レーザー１５がレーザービームを出射しない面を、光軸方向に押圧されながらハウジング１０に組み込まれる。その後、押圧された状態のまま押圧板２１を介して、止めねじ２２によりハウジング１０に固定される。
【０００４】
また、回折格子５の回折ビームを出光する側は、円筒状の孔１９を半導体レーザー１５から出射されるレーザービームの出射される方向に進むにつれて回折格子５よりも小径にすることにより位置が決められる。そして半導体レーザー１５が出射するレーザービームが入光される側は、半導体レーザー１５及びレーザーホルダー１８がハウジング１０に固定されたことにより、バネ部材２０に弾性力が付与され、回折格子５は押圧されながら円筒状の孔１９に組み込まれる。
【０００５】
更に、貫通孔２３は、円筒状の孔１９に組み込まれた回折格子５に到達するようにハウジング１０に設けられる。貫通孔２３に回折方向調整部材（不図示）を挿入して回折格子５と係合させることにより、回折格子５の回動軸（半導体レーザー１５から出射されるレーザービームと同一軸）を中心として回動させ、半導体レーザー１５から出射されるレーザービームの回折方向の調整を可能としている。
【特許文献１】特開２００３−６７９４２号公報
【発明の開示】
【発明が解決しようとする課題】
【０００６】
このように、光学ヘッド装置の製造工程における半導体レーザー１５及び回折格子５のハウジング１０への組み込み作業においては、バネ部材２０、押圧板２１、止めねじ２２が必要となり、製造コストが掛かる上に、組み込み作業が煩雑なものとなっていた。
【０００７】
また、回折格子５を弾性力により押圧するバネ部材２０が、弾性力を付与するのに不十分な長さである場合や、バネ部材２０の形状により半導体レーザー１５から出射されるレーザービームに干渉する場合がある。その場合、バネ部材２０の交換が必要となるが、バネ部材２０がハウジング１０に形成される円筒状の孔１９に組み込まれた後に、レーザーホルダー１８や半導体レーザー１５が組み込まれ、押圧板２１や止めねじ２２によって固定されているため、一旦押圧板２１、止めねじ２２による固定状態を解除し、半導体レーザー１５、レーザーホルダー１８、バネ部材２０を円筒状の孔１９から取り出しを行い、更に別のバネ部材（不図示）や半導体レーザー１５等の組み込み作業を繰り返すという煩雑さが生じる場合もあった。
【０００８】
更に、回折格子５の回折方向の調整は、ハウジング１０に設けられた貫通孔２３に、回折方向調整部材を挿入し回折格子５と係合させ、回折格子５の回動軸（半導体レーザー１５から出射されるレーザービームと同一軸）を中心に回動させることによって行っているが、本来回折格子５を回動させるためのみに力を加えるべきところ、回折方向調整部材を回折格子５に係合させることにより回折格子５が回動する際の回動軸と直交する方向に力が加わり、回折格子５自体を変位させる可能性があった。
【０００９】
そこで、本発明は、光学ヘッド装置の製造工程における回折格子のハウジングへの組み込み作業において製造コストを抑え、回折格子の組み込み作業や固定状態の解除作業を簡易なものとすることができ、また回折格子の回折方向の調整において、回折方向調整部材による回折格子自体の変位を抑えることができる、回折格子保持具及び光学ヘッド装置を提供することを目的とする。
【課題を解決するための手段】
【００１０】
前記課題を解決するための発明は、入射光を回折する回折格子を保持するとともにハウジングと係止する回折格子保持具であって、前記入射光の光軸と交差する方向における前記回折格子の周囲を弾性保持し、前記ハウジングに対する前記回折格子の係止位置において前記ハウジングと係止する一対の弾性保持板と、前記入射光が前記回折格子に入光するための光路孔を有し、前記一対の弾性保持板の間を支持するとともに、前記ハウジングに対する前記回折格子の係止位置において、前記回折格子を前記入射光の入光側から弾性で押圧する弾性支持板と、を備えたことを特徴とする。
【００１１】
また、半導体レーザーと、前記半導体レーザーから出射されるレーザービームを回折する回折格子と、前記半導体レーザーおよび前記回折格子が組み込まれるハウジングと、前記回折格子を保持するとともに前記ハウジングと係止する回折格子保持具と、を有する光学ヘッド装置であって、前記回折格子保持具は、前記半導体レーザーから出射されるレーザービームの光軸と交差する方向における前記回折格子の周囲を弾性保持し、前記ハウジングに対する前記回折格子の係止位置において前記ハウジングと係止する一対の弾性保持板と、前記半導体レーザーから出射されるレーザービームが前記回折格子に入光するための光路孔を有し、前記一対の弾性保持板の間を支持するとともに、前記ハウジングに対する前記回折格子の係止位置において、前記回折格子を前記半導体レーザーから出射されるレーザービームの入光側から弾性で押圧する弾性支持板と、を有し、前記ハウジングは、前記ハウジングに対する前記一対の弾性保持板の係止位置において、前記一対の弾性保持部板を係止する係止部材を有する、ことを特徴とする。
【発明の効果】
【００１２】
本発明によれば、光学ヘッド装置の製造工程における回折格子のハウジングへの組み込み作業において製造コストを抑え、回折格子の組み込み作業や固定状態の解除作業を簡易なものとすることができ、また回折格子の回折方向の調整において、回折方向調整部材による回折格子自体の変位を抑えることができる、回折格子保持具及び光学ヘッド装置を提供することが可能となる。
【発明を実施するための最良の形態】
【００１３】
本明細書および添付図面の記載により、少なくとも以下の事項が明らかとなる。
【００１４】
＝＝＝回折格子保持具の構成＝＝＝
図１及び図２を参照しつつ本発明に係る回折格子保持具の概略について説明する。図１は本発明に係る回折格子保持具の斜視図である。図２は本発明に係る回折格子保持具の六面図であり、(a)は平面図、(b)は底面図、(c)は一方から見た側面図、(d)は他方から見た側面図、(e)は正面図、(f)は背面図である。
【００１５】
図１及び図２において回折格子保持具１は、一対の保持板２，３（一対の弾性支持板）及び支持板４（弾性支持板）を備えている。
【００１６】
回折格子５は、半導体レーザー（不図示）から出射されるレーザービームのＸ方向（光軸）と、当該レーザービームが入光する入光面６及び回折ビームを出光する出光面７とが直交（交差）するように設けられた円筒形成を有するものである。また回折格子５の回折方向を調整すべく回折格子５を回動させるための中心軸は、Ｘ方向と同一方向に設けられる。更に回折格子５はＸ方向において長さＸ(r)を有し、入光面６及び出光面７は半径Ｙ(r)を有する円形である。
【００１７】
一対の保持板のうち一方の保持板２は、Ｘ方向と直交するＹ方向における支持板４の紙面上部の辺の両端の部位Ａ、ＢからＸ方向と当該Ｘ方向及びＹ方向に直交するＺ方向とに延在して設けられる保持板２Ａ、２Ｂから形成されている。保持板２Ａは部位ＡからＸ方向において長さＸ(a)を有し、Ｚ方向において所定の長さを有して設けられる。保持板２Ｂは部位ＢからＸ方向において長さＸ(a)を有し、Ｚ方向において所定の長さを有して設けられる。また、保持板２Ａ、２Ｂ間には空間部Ｊが設けられており、更に僅かな間隙部Ｋをもって対向する突片部Ｅ、Ｆが設けられている。
【００１８】
同様に、他方の保持板３は、Ｙ方向における支持板４の紙面下部の辺の両端の部位Ｃ、ＤからＸ方向及びＺ方向へ延在して設けられ、Ｘ方向において長さＸ(b) （回折格子５のＸ方向の長さＸ(r)よりも長い長さ）を有する円状のリング（調整孔）にて形成される。また、保持板３のリング内側面の最大径（Ｚ(b)が最も長い長さ）は入光面６の直径２Ｙ(r)よりも小さく設けられる。なお、他方の保持板３のリングの形状は円形であるが、これに限るものではない。当該リング形状は、回折格子５の回折方向を調整することが可能であり、かつ回折格子５を保持することが可能な形状であれば、例えば楕円や多角形などのいかなる形状でも良い。
【００１９】
一方支持板４は、Ｙ方向において長さＹ(c)を有し、Ｚ方向において長さＺ(c)を有して設けられる。また、支持板４には、Ｘ方向において半導体レーザー（不図示）より出射されるレーザービームが回折格子５に入光するための光路孔８が設けられている。光路孔８は半径Ｒ（２Ｒの長さはＹ(c)、Ｚ(c)よりも短い長さ）の円形である。更に、支持板４は、Ｙ方向における略中心の部位Ｉにおいて、回折格子５が取り付けられる方向に突出しながら湾曲することによって、回折格子５を圧接するための弾性力を有している（例えば板バネ）。そして支持板４は、出光面７がハウジング（不図示）に位置固定された状態で回折格子５の入光面６をＸ方向に弾性押圧することが可能となる。なお、光路孔８の形状は円形であるが、これに限るものではない。光路孔８の形状は半導体レーザー（不図示）からのレーザービームが通過する大きさを有するとともに、一対の保持板２、３を支持可能な強度を有しており、かつ回折格子５の入光面６をＸ方向から押圧可能な強度を有する形状であれば、例えば楕円や多角形などのいかなる形状でも良い。
【００２０】
但し、一対の保持板２、３及び支持板４から構成される回折格子保持具１は、回折格子５を挟持する必要があるため、挟持に際して必要となるＸ(a)＋Ｙ(c)＋Ｘ(b)の長さは入光面６の直径２Ｙ(r)よりも長い長さで設けられる。また、Ｙ(c)は、回折格子５が他方の保持板３のリング内に落とし込まれて保持されるため、入光面６の直径２Ｙ(r)よりも短い長さで設けられる。
【００２１】
一対の保持板２、３はＸ方向Ｚ方向において同一方向の平面上に設けられており、Ｙ方向において回折格子５を弾性保持するように設けられている。この際、回折格子５は、一方の保持板２を形成する保持板２Ａ、２Ｂに設けられた突片部Ｅ、Ｆにより、回折格子５の周面（周囲）におけるＺ方向の中心寄りを弾性押圧され、また部位Ｇ、Ｈが部位Ａ、Ｂを支点として撓むことにより、回折格子５の中心軸に向けて弾性押圧される。同様に他方の保持板３は部位Ｃ、Ｄを支点として、回折格子５の周面（周囲）をＺ方向に弾性保持する。よって一対の保持板２、３及び支持板４から形成される回折格子保持具１による回折格子５の弾性保持は確実なものとなる。また、他方の保持板３はＺ方向の長さＺ(c)が長くなるにつれて、回折格子５の周面（周囲）を弾性保持する強度はより大きなものとなる。なお、一対の保持板２，３はＸ方向Ｚ方向において平行に設けられているが、これに限るものではない。例えば一方の保持板２がＸ方向に延在するにつれて−Ｙ方向に僅かに傾斜し、かつ（または）他方の保持板３がＸ方向に延在するにつれて＋Ｙ方向に僅かに傾斜するように設けられても良い。これにより、回折格子５に対する一対の保持板２，３の弾性保持力をより強固とすることが可能となる。
【００２２】
＝＝＝光学ヘッド装置の構成＝＝＝
図３乃至図７を参照しつつ、本発明に係る光学ヘッド装置について説明する。図３乃至図７は本発明に係る光学ヘッド装置を示す斜視図である。詳しくは、図３は回折格子保持具１を用いて、回折格子５及びワッシャー１２をハウジング１０に組み込んで弾性保持する前の状態を示す分解斜視図である。図４は回折格子保持具１を用いて、回折格子５をハウジング１０に組み込み弾性保持している状態を示す斜視図である。図５は−Ｙ方向から視た図４に示すハウジング１０の斜視図である。図６は半導体レーザー１５を図４に示すハウジング１０に組み込んで保持する前の状態を示す斜視図である。図７はレーザーホルダー１８に保持された半導体レーザー１５を図４に示すハウジング１０に組み込んで保持している状態を示す斜視図である。
【００２３】
＜＜光学ヘッド装置の構成＞＞
本発明に係る光学ヘッド装置のハウジング１０は、アクチュエータ設置部１１及び回折格子設置部１３及び半導体レーザー設置部１６が設けられており、一対の係止部１４及び係止部１９を有している。
【００２４】
アクチュエータ設置部１１には、例えば記録媒体等（不図示）に対してビームを照射する対物レンズ（不図示）及び当該対物レンズを駆動させるアクチュエータ（不図示）が組み込まれるように設けられている。
【００２５】
回折格子設置部１３は、回折格子５及びワッシャー１２が組み込まれるように設けられている。回折格子設置部１３は、半導体レーザー１５から出射されるレーザービームのＸ方向（光軸）において、当該レーザービームが回折格子５により回折されて形成される回折ビームがハウジング１０に入光するための回折ビーム入光孔１７が設けられている。回折ビーム入光孔１７の形状は、例えば回折格子５の半径Ｘ(r)よりも短い半径の円形である。また、回折格子設置部１３は、Ｘ方向において回折格子５の長さＸ(r)とワッシャーの幅の和の長さ以上長さを有し、Ｘ方向と直交（交差）するＹ方向において回折格子５の直径２Ｙ(r)以下の長さを有し、Ｘ方向及びＹ方向と直交（交差）するＺ方向において回折格子５の直径２Ｙ(r)以上の長さを有して設けられる。なお、回折ビーム入光孔１７の形状は円形であるが、これに限るものではない。回折ビーム入光孔１７の形状は、半導体レーザー１５から出射されたレーザービームが回折格子５により回折されて形成される回折ビームが通過する大きさであれば、例えば楕円や多角形などいかなる形状でも良い。
【００２６】
ワッシャー１２は、回折格子設置部１３に組み込まれた回折格子５が、回折格子保持具１によりＸ方向に弾性保持される際の緩みを防止するために設けられる。またワッシャー１２は、半径Ｙ(r)を有する円形状に設けられ、Ｘ方向において弛緩防止可能な幅を有して設けられる。また、Ｘ方向において半導体レーザー１５から出射されるレーザービームを回折格子５に入光するための孔が設けられている。なおワッシャー１２の形状及び孔は円形に限られるものではない。回折格子５と回折格子保持具１間の緩みを防止できる幅があり、半導体レーザー１５から出射されるレーザービームが通過する大きさを有する形状であればいかなる形状でも良い。
【００２７】
ハウジング１０の＋Ｙ方向側の面に設けられた一対の係止部１４は、Ｚ方向において所定の長さを有し、＋Ｘ方向に所定距離進むにつれて＋Ｙ方向へと変化し、更に＋Ｘ方向に進むと−Ｙ方向へと急峻に変化する爪形状を有する。
【００２８】
ハウジング１０の−Ｙ方向側の面の設けられた係止部１９は、＋Ｘ方向に所定距離進むにつれて−Ｙ方向へと変化し、更に＋Ｘ方向に進むと＋Ｙ方向へと急峻に変化する爪形状を有する。また爪形状を有する係止部１９は、円状のリング（調整孔）に形成された他方の保持板３のリング内に嵌入可能に設けられ、更に、係止部１９には回折格子５の回折方向を調整するための円形の孔を有している。なお、係止部１９の形状は図５のような形状に限るものではなく、他方の保持板３の形状と嵌合するような形状であればいかなる形状でも良い。また回折格子５の回折方向を調整するための孔は円形であるが、これに限るものではない。回折格子５の回折方向を調整することが可能な形状ならばいかなる形状でも良い。
【００２９】
＜＜回折格子保持具１を用いた回折格子５のハウジング１０への弾性保持方法＞＞
回折格子５は図３のＹ方向の一点鎖線のように−Ｙ方向に、ハウジング１０に設けられた回折格子設置部１３へ落とし込まれる。その際、回折格子５の出光面７が＋Ｘ方向を、入光面６が−Ｘ方向を向いて回折格子５は回折格子設置部１３に落とし込まれる。
【００３０】
また、回折格子設置部１３は、回折格子５及びワッシャー１２が落とし込まれた際に、回折ビーム入光孔１７の中心、及び出光面７の中心、及び入光面６の中心、及びワッシャー１２に設けられた孔の中心が、半導体レーザー１５から出射されるレーザービームのＸ軸上と同一軸上に設けられるように形成されている。
【００３１】
回折格子設置部１３に回折格子５及びワッシャー１２が設けられた後、回折格子保持具１は図３のＸ方向の一点鎖線のように＋Ｘ方向に移動し係止部１４、１９に係止することによって、回折格子５をハウジング１０に弾性保持する。
【００３２】
この際、回折格子保持具１の一方の保持板２の−Ｙ方向の面は、回折格子保持具１が＋Ｘ方向に移動することにより、ハウジング１０に設けられた係止部１４と当接する。そして、回折格子保持具１が＋Ｘ方向に進むにつれて、一方の保持板２は、＋Ｘ方向側の辺から係止部１４に乗り上げながら弾性力に抗して＋Ｙ方向に押し上げられる。更に回折格子保持具１が＋Ｘ方向に進み、一方の保持板２は、係止部１４のＸ方向の長さを進み終えたとき、弾性力によって−Ｙ方向に戻る。この時、回折格子５の＋Ｙ方向の周面（周囲）は、一方の保持板２に設けられた突片部Ｅ、Ｆにより、回折格子５の周面（周囲）におけるＺ方向の中心寄りを当該弾性力により弾性押圧される。また、回折格子５は、一方の保持板２の部位Ｇ、Ｈが部位Ａ、Ｂを支点として撓むことにより、回折格子５の中心軸方向に向けて弾性押圧される。また一方の保持板２が回折格子５を弾性押圧するとともに、一方の保持板２の部位２Ｃ、２Ｄが係止部１４に引っ掛かり、一方の保持板２はハウジング１０に係り止る（図４）。
【００３３】
また、同様に回折格子保持具１の他方の保持板３の＋Ｙ方向の面は、回折格子保持具１が＋Ｘ方向に移動することにより、ハウジング１０に設けられた係止部１９と当接する。そして、回折格子保持具１が＋Ｘ方向に進むにつれて、他方の保持板３は、＋Ｘ方向側の辺から係止部１９に乗り上げながら弾性力に抗して−Ｙ方向に押し上げられる。更に回折格子保持具１が＋Ｘ方向に進み、他方の保持板３は、係止部１９のＸ方向の長さを進み終えたとき、弾性力によって＋Ｙ方向に戻る。即ち、他方の保持板３における円状のリングに係止部１９が嵌合して、他方の保持板３はハウジング１０に係り止る（図５）。この時、他方の保持板３を形成するリング（調整孔）と、係止部１９に設けられた回折格子５の回折方向を調整するための孔とは、Ｙ方向において同一軸上に設けられ、回折格子５の周面（周囲）の一部を−Ｙ方向から視認可能に設けられる。
【００３４】
更に回折格子保持具１の支持板４は、回折ビーム入光孔１７が設けられているハウジング１０の面に出光面７が位置固定された状態で、回折格子保持具１が＋Ｘ方向に移動することにより、支持板４の略中心の部位Ｉに設けられた湾曲部がワッシャー１２に当接する。そして回折格子保持具１が＋Ｘ方向に進むにつれてワッシャー１２を弾性押圧し、ワッシャー１２は回折格子５の入光面６を弾性押圧する。そして、一方の保持板２が係止部１４によってハウジング１０に係り止り、他方の保持板３が係止部１９によってハウジング１０に係り止る時、支持板４は＋Ｘ方向へのワッシャー１２の押圧を停止する。よって、回折格子保持具１による回折格子５のハウジング１０への弾性保持が可能となる。
【００３５】
図６において、ハウジング１０に組み込まれた回折格子５及び回折格子保持具１の支持板４に設けられた光路孔８の中心、及びワッシャー１２に設けられた孔の中心、及び入光面６の中心、及び出光面７の中心、及び回折ビーム入光孔１７の中心はＸ軸上において同一軸上に設けられている。半導体レーザー１５は半導体レーザー設置部１６の該Ｘ軸上の＋Ｘ方向にレーザービームを出射するように設けられる。よって支持板４の−Ｘ方向の面と半導体レーザー１５のレーザー出光孔（不図示）は、該Ｘ軸上において向かい合って設けられており、半導体レーザー１５の位置決めがされる。また半導体レーザー１５は当該位置を保ちながらハウジング１０に固定されるため、レーザーホルダー１８によって保持される。レーザーホルダー１８は、半導体レーザー１５を保持しつつ、ハウジング１０の半導体レーザー設置部１６と接する面を例えば接着剤（例えばＵＶ接着剤）等で固定される。
【００３６】
上記実施形態によれば、光学ヘッド装置の製造工程における回折格子５のハウジング１０への組み込み作業において、バネ部材や押圧板、止めねじ等を用いる必要がなく、回折格子保持具１及びワッシャー１２のみで組み込み作業が可能となるため、製造コストが抑えられ、かつ組み込み作業が容易となる。更に回折格子５がハウジング１０に固定された状態の解除についても、係止部１４に引っ掛かっている一方の保持板２を＋Ｙ方向に上げ、係止部１９に嵌合している他方の保持板３を−Ｙ方向に下げ、回折格子保持具１を−Ｘ方向へ移動することにより、回折格子保持具１の回折格子５の弾性保持状態の解除が可能となり、止めねじ等の取り外しが必要なくなり、固定状態の解除も容易な作業となる。また、回折格子５の回折方向の調整は、ハウジング１０に設けられた貫通孔（不図示）に、回折方向調整部材（不図示）を挿入し回折格子５と係合させ、回折格子５の回動軸（半導体レーザー１５から出射されるレーザービームと同一軸）を中心に回動させることによって行っているが、本来回折格子５を回動させるためのみに力を加えるべきところ、回折方向調整部材（不図示）を回折格子５に係合させることにより回折格子５が回動する際の回動軸と直交する方向に力が加わり、回折格子５自体を変位させる可能性があったが、本実施形態によれば回折格子保持具１による回折格子５の弾性保持は、一方の保持板２による回折格子５の中心軸方向への弾性押圧、他方の保持板３による回折格子５の＋Ｙ方向への弾性押圧、支持板４による回折格子５の＋Ｘ方向への弾性押圧により行われるため、回折格子５の弾性保持をＸ方向のみで行ってきた従来技術より確実なものとなり、回折格子５の回折方向調整部材（不図示）による回折格子５の変位を抑えることが可能となる。
【００３７】
＝＝＝その他の実施形態＝＝＝
以上、本発明に係る光学ヘッド装置のハウジングへの回折格子及び半導体レーザーの組み込みについて説明したが、上記の説明は、本発明の理解を容易とするためのものであり、本発明を限定するものではない。本発明は、その趣旨を逸脱することなく、変更、改良され得る。
【００３８】
＝＝＝その他の実施形態＝＝＝
【図面の簡単な説明】
【００３９】
【図１】本発明に係る回折格子保持具の概略構成を示す斜視図である。
【図２】本発明に係る回折格子保持具の概略構成を示す六面図である。
【図３】本発明に係る光学ヘッド装置の実施形態を示す分解斜視図である。
【図４】本発明に係る光学ヘッド装置の実施形態を示す斜視図である。
【図５】本発明に係る光学ヘッド装置の実施形態を示す斜視図である。
【図６】本発明に係る光学ヘッド装置の実施形態を示す斜視図である。
【図７】本発明に係る光学ヘッド装置の実施形態を示す斜視図である。
【図８】光学ヘッド装置のハウジングへの回折格子の組み込みの従来技術を示す図である。
【符号の説明】
【００４０】
１    回折格子保持具            ２、３  保持板
４    支持板                    ５    回折格子
６    入光面                    ７    出光面
８    光路孔                    ９    貫通孔
１０  ハウジング                １１  アクチュエータ設置部
１２  ワッシャー                １３  回折格子設置部
１４、１９  係止部              １５  半導体レーザー
１６  半導体レーザー設置部      １７  回折ビーム入光孔
１８  レーザーホルダー          １９  円筒状の孔
２０  バネ部材                  ２１  押圧板
２２  止めねじ                  ２３  貫通孔
【図１】
2005243107.tif 000003
【図２】
2005243107.tif 000004
【図３】
2005243107.tif 000005
【図４】
2005243107.tif 000006
【図５】
2005243107.tif 000007
【図６】
2005243107.tif 000008
【図７】
2005243107.tif 000009
【図８】
2005243107.tif 000010
【手続補正書】
【提出日】平成16年2月26日(2004.2.26)
【手続補正２】
【補正対象書類名】明細書
【補正対象項目名】０００１
【補正方法】変更
【補正の内容】
【０００１】
本発明は、回折格子保持具および光学ヘッド装置に関する。